(57)【要約】【課題】取り付け場所の制約を減少させうる健康器具を提供する。【解決手段】座席の背もたれに、基板１１〜１３の突起２１〜２３を接触させる。すると、突起２１〜２３は、背もたれにおけるクッション部分に若干食い込む。これにより、基板１１〜１３を、座席に一時的に固定することができる。この状態で使用者が座席に座れば、使用者と背もたれとの間に健康器具が挟まれる。これにより健康器具を所定の位置に保持できる。さらに、使用者の身長に応じて、基板１１〜１３に対する支持体３１〜３５の取付位置を調節することができる。このため、使用者の背中のツボを突出部４１〜４５によって適切に押圧して刺激することができる。【選択図】図２
2004329666.tif 000002
【特許請求の範囲】
【請求項１】
基板と、複数の突起と、複数の突出部とを備えており、前記基板は、その背面側が座席の表面に取り付けられるものであり、前記複数の突起は、前記基板の背面側に配置されて、前記座席の表面に接触するようにされており、前記複数の突出部は、前記基板の前面側に配置されて、前記座席に座った使用者の背面を押圧できるようにされていることを特徴とする健康器具。
【請求項２】
前記複数の突起は、前記座席の表面に接触した状態において、少なくとも一時的に前記基板を前記座席の表面に保持させるものであることを特徴とする請求項１記載の健康器具。
【請求項３】
前記複数の突起は、その先端部近傍の最大幅が５ｍｍ以下とされていることを特徴とする請求項１または２に記載の健康器具。
【請求項４】
前記複数の突出部は、前記座席に座った使用者の背面におけるツボを押圧できる位置に配置されていることを特徴とする請求項１〜３のいずれか１項に記載の健康器具。
【請求項５】
前記複数の突出部は、前記使用者の背面の凹凸に対応して、高さが異なっていることを特徴とする請求項１〜４のいずれか１項に記載の健康器具。
【請求項６】
複数の支持体をさらに備え、前記複数の突出部は、前記複数の支持体の前面側に配置されており、前記支持体の背面側は、前記基板の前面側に取り付けられるものであることを特徴とする請求項１〜５のいずれか１項に記載の健康器具。
【請求項７】
前記複数の支持体は、面ファスナによって着脱可能なように前記基板に取り付けられていることを特徴とする請求項６記載の健康器具。
【請求項８】
基板と、複数の支持体と、複数の突出部とを備えており、前記基板は、その背面側が座席の表面に取り付けられるものであり、前記複数の支持体は、前記基板の前面側に取り付けられるものであり、前記複数の突出部は、前記支持体の前面側に配置されて、前記座席に座った使用者の背面を押圧できるようにされていることを特徴とする健康器具。
【請求項９】
前記座席の表面とは、座席の背もたれにおける表面であることを特徴とする請求項１〜８のいずれか１項に記載の健康器具。
【請求項１０】
前記複数の支持体どうしの間には、前記基板に取り付けられた状態において、間隙が形成されていることを特徴とする請求項８記載の健康器具。
【請求項１１】
基板と、複数の突出部とを備え、前記基板は、座席の座面上に配置されるものであり、前記複数の突出部は、前記基板の前面側に配置されており、さらに、前記複数の突出部は、前記座席に座った使用者の脚部の延長方向に沿って配置されていることを特徴とする健康器具。
【請求項１２】
前記複数の突出部のうち、前記座席に座った使用者の臀部側の突出部は、使用者の膝側の突出部よりも低く形成されていることを特徴とする請求項１１記載の健康器具。
【請求項１３】
さらに固定具を備え、この固定具は、前記基板に取り付けられており、かつ、前記基板を前記使用者の脚部に固定するものであることを特徴とする請求項１１または１２のいずれか１項に記載の健康器具。
【請求項１４】
基板と、複数の突起と、複数の突出部とを備えており、前記基板は、その背面側が座席の座面に取り付けられるものであり、前記複数の突起は、前記基板の背面側に配置されて、前記座席の座面に接触するようにされており、前記複数の突出部は、前記基板の前面側に配置されて、前記座席に座った使用者の脚部の背面を押圧できるようにされていることを特徴とする健康器具。
【請求項１５】
前記基板は、使用者の臀部側から膝側にかけて、先細り状に形成されていることを特徴とする請求項１１〜１４のいずれか１項に記載の健康器具。
【請求項１６】
さらに支持体を備え、前記複数の突出部は、前記支持体の前面側に配置されており、前記支持体の背面側は、前記基板の前面側に取り付けられるものであることを特徴とする請求項１１〜１５のいずれか１項に記載の健康器具。
【請求項１７】
前記支持体は、使用者の臀部側から膝側にかけて、先細り状に形成されていることを特徴とする請求項１６記載の健康器具。
【請求項１８】
請求項１〜１０のいずれか１項に記載の健康器具と請求項１１〜１７のいずれか１項に記載の健康器具とを備えた健康器具セット。
【請求項１９】
前記座席の表面とは、座席の座面における表面であることを特徴とする請求項１〜８のいずれか１項に記載の健康器具。
【請求項２０】
前記突出部の位置は、前記基板に対して変更可能とされていることを特徴とする請求項１，８または１４に記載の健康器具。
【発明の詳細な説明】
【０００１】
【発明の属する技術分野】
本発明は、座席に取り付けられる健康器具に関するものである。特に、本発明は、身体背面におけるツボを刺激するのに好適な健康器具に関する。
【０００２】
【発明の背景】
下記特許文献１に示されるように、座席（この明細書では椅子を含む意味で用いる）に取り付けられる健康器具が知られている。この健康器具は、その前面に、ツボ押し用の突出部を備えている。この健康器具によれば、座席に座った使用者の背面におけるツボを、突出部により押圧して刺激することができる。
【０００３】
しかしながら、この従来の器具では、座席の背もたれに嵌める環状のベルトにより、器具を座席に取り付けるようにしている。これでは、取り付けうる座席の種類が制約されてしまう。
【０００４】
また、この従来の器具では、脚部におけるツボ押しは意図されていない。
【０００５】
【従来技術】
【特許文献１】
登録実用新案第３０３７８８４号公報
【発明が解決しようとする課題】
本発明は、前記の状況に鑑みてなされたものである。本発明の目的の一つは、取り付け場所の制約が少ない健康器具を提供することである。本発明の他の目的は、脚部におけるツボ押しを可能とする健康器具を提供することである。
【０００６】
【課題を解決するための手段】
本発明は、次のように表現することができる。
【０００７】
（Ａ）  基板と、複数の突起と、複数の突出部とを備えており、前記基板は、その背面側が座席の表面に取り付けられるものであり、前記複数の突起は、前記基板の背面側に配置されて、前記座席の表面に接触するようにされており、前記複数の突出部は、前記基板の前面側に配置されて、前記座席に座った使用者の背面を押圧できるようにされていることを特徴とする健康器具。
【０００８】
（Ｂ）  前記複数の突起は、前記座席の表面に接触した状態において、少なくとも一時的に前記基板を前記座席の表面に保持させるものであることを特徴とする（Ａ）記載の健康器具。
【０００９】
（Ｃ）  前記複数の突起は、その先端部近傍の最大幅が５ｍｍ以下とされていることを特徴とする（Ａ）または（Ｂ）に記載の健康器具。
【００１０】
（Ｄ）  前記複数の突出部は、前記座席に座った使用者の背面におけるツボを押圧できる位置に配置されていることを特徴とする（Ａ）〜（Ｃ）のいずれかに記載の健康器具。
【００１１】
（Ｅ）  前記複数の突出部は、前記使用者の背面の凹凸に対応して、高さが異なっていることを特徴とする（Ａ）〜（Ｄ）のいずれか１項に記載の健康器具。
【００１２】
（Ｆ）  複数の支持体をさらに備え、前記複数の突出部は、前記複数の支持体の前面側に配置されており、前記支持体の背面側は、前記基板の前面側に取り付けられるものであることを特徴とする（Ａ）〜（Ｅ）のいずれかに記載の健康器具。
【００１３】
（Ｇ）  前記複数の支持体は、面ファスナによって着脱可能なように前記基板に取り付けられていることを特徴とする（Ｆ）記載の健康器具。
【００１４】
（Ｈ）  基板と、複数の支持体と、複数の突出部とを備えており、前記基板は、その背面側が座席の表面に取り付けられるものであり、前記複数の支持体は、前記基板の前面側に取り付けられるものであり、前記複数の突出部は、前記支持体の前面側に配置されて、前記座席に座った使用者の背面を押圧できるようにされていることを特徴とする健康器具。
【００１５】
（Ｉ）  前記座席の表面とは、座席の背もたれにおける表面であることを特徴とする（Ａ）〜（Ｈ）のいずれかに記載の健康器具。
【００１６】
（Ｊ）  前記複数の支持体どうしの間には、前記基板に取り付けられた状態において、間隙が形成されていることを特徴とする（Ｈ）記載の健康器具。
【００１７】
（Ｋ）  基板と、複数の突出部とを備え、前記基板は、座席の座面上に配置されるものであり、前記複数の突出部は、前記基板の前面側に配置されており、さらに、前記複数の突出部は、前記座席に座った使用者の脚部の延長方向に沿って配置されていることを特徴とする健康器具。
【００１８】
（Ｌ）  前記複数の突出部のうち、前記座席に座った使用者の臀部側の突出部は、使用者の膝側の突出部よりも低く形成されていることを特徴とする（Ｋ）記載の健康器具。
【００１９】
（Ｍ）  さらに固定具を備え、この固定具は、前記基板に取り付けられており、かつ、前記基板を前記使用者の脚部に固定するものであることを特徴とする（Ｋ）または（Ｌ）のいずれかに記載の健康器具。
【００２０】
（Ｎ）  基板と、複数の突起と、複数の突出部とを備えており、前記基板は、その背面側が座席の座面に取り付けられるものであり、前記複数の突起は、前記基板の背面側に配置されて、前記座席の座面に接触するようにされており、前記複数の突出部は、前記基板の前面側に配置されて、前記座席に座った使用者の脚部の背面を押圧できるようにされていることを特徴とする健康器具。
【００２１】
（Ｏ）  前記基板は、使用者の臀部側から膝側にかけて、先細り状に形成されていることを特徴とする（Ｋ）〜（Ｎ）のいずれかに記載の健康器具。
【００２２】
（Ｐ）  さらに支持体を備え、前記複数の突出部は、前記支持体の前面側に配置されており、前記支持体の背面側は、前記基板の前面側に取り付けられるものであることを特徴とする（Ｋ）〜（Ｏ）のいずれかに記載の健康器具。
【００２３】
（Ｒ）  前記支持体は、使用者の臀部側から膝側にかけて、先細り状に形成されていることを特徴とする（Ｐ）記載の健康器具。
【００２４】
（Ｓ）  （Ａ）〜（Ｊ）のいずれか１項に記載の健康器具と（Ｋ）〜（Ｑ）のいずれかに記載の健康器具とを備えた健康器具セット。
【００２５】
（Ｔ）  前記座席の表面とは、座席の座面における表面であることを特徴とする（Ａ）〜（Ｈ）のいずれかに記載の健康器具。
【００２６】
（Ｕ）  前記突出部の位置は、前記基板に対して変更可能とされていることを特徴とする（Ａ），（Ｈ）または（Ｎ）に記載の健康器具。
【００２７】
【発明の実施の形態】
本発明の第１実施形態に係る健康器具セットを、添付の図面を参照しながら、以下に説明する。この健康器具セットは、座席６に取り付けられるものである（図１参照）。また、この健康器具セットは、背中用の健康器具１と、脚用の健康器具１００とを備えている。なお、添付の図面においては、部材の厚さや大きさ等の形状は、理解を容易にするために模式的に記載している。
【００２８】
背中用の健康器具１は、複数の基板１１，１２，１３と、複数の突起２１，２２，２３と、と、複数の支持体３１，３２，３３，３４，３５と、複数の突出部４１，４２，４３，４４，４５とを主要な構成として備えている（図２参照）。
【００２９】
各基板１１〜１３は、いずれも、矩形の板状に形成されている。各基板１１〜１３の幅（図２中紙面に垂直方向の幅）は、いずれも同じとされており、例えば、使用者の肩幅程度の長さである。基板１１〜１３の材質としては、特に限定されないが、例えば、ＥＶＡ（Ｅｔｈｙｌｅｎｅ−Ｖｉｎｙｌ  Ａｃｅｔａｔｅ）などの樹脂や、ゴムが好適である。各基板１１〜１３は、垂直状態において単独で自立できる硬度を有することが好ましい。
【００３０】
複数の突起２１は、基板１１の背面に形成されている。突起２１は、この実施形態では、基板１１と一体に形成されている。突起２１は、その先端部近傍の最大幅が５ｍｍ以下とされている。より具体的には、この実施形態における突起２１は、円柱状とされており、その直径は１〜３ｍｍ程度、その高さは２〜３ｍｍ程度となっている。ただし、突起２１の形状（例えば幅、直径および高さ）は、これには限定されず、これより大きものでも小さいものでも良い。要するに、突起２１の形状は、座席６の背もたれ７（図１参照）に基板１１を一時的にでも保持できるものであればよい。複数の突起２２および２３は、基板１２および１３の背面に形成されている。これらの構成は、突起２１と同様なので、詳細な説明は省略する。
【００３１】
基板１１と基板１２とは、それらの背面に取り付けられた接続具５１により着脱可能なように接続されている。接続具５１は、具体的には面ファスナである。同様に、基板１２と１３とは、接続具（例えば面ファスナ）５２により接続されている。
【００３２】
各基板１１〜１３の前面側には、その上下方向（図２において上下方向）に沿って、取付具６１，６２，６３が取り付けられている。取付具６１〜６３としては、例えば面ファスナが用いられる。
【００３３】
支持体３１〜３５は、いずれも、矩形の板状に形成されている。支持体３１〜３５の材質としては、基板１１〜１３と同様のものを用いることができる。支持体３１〜３５の幅は、基板１１〜１３とほぼ同じとされている。支持体３１〜３５の高さ（図２中上下方向における高さ）は、基板１１〜１３よりも若干小さくなっている。支持体３１〜３５は、図４に示されるように、人体背面における複数のツボをそれぞれ覆うことができる大きさとなっている。
【００３４】
支持体３１〜３５どうしの間には、基板１１〜１３に取り付けられた状態において、間隙Ｓが形成されるようになっている（図２参照）。つまり、基板１を接続した長さ（使用者の身長方向の長さ）は、支持体３１〜３４を接続した長さよりも若干長いものとなっている。
【００３５】
支持体３１〜３５の背面側には、取付具７１〜７５がそれぞれ取り付けられている。取付具７１〜７５は、取付具６１〜６３に着脱可能に取り付けることができるようになっている。取付具７１〜７５としては、例えば面ファスナを用いることができる。取付具７１〜７５は、支持体３１〜３５の上下両端にそれぞれ取り付けられている。
【００３６】
突出部４１〜４５は、この実施形態では、支持体３１〜３５の前面側にそれぞれ取り付けられている。突出部４１〜４５は、各支持体３１〜３５にそれぞれ複数個設けられている。各突出部４１〜４５は、座席６に座った使用者Ａ（図２参照）の背面におけるツボを押圧できる位置に配置されている（図３（ａ）〜（ｅ）参照）。また、各突出部４１〜４５は、使用者Ａの背面の凹凸に対応して、高さが異なっている（図２参照）。突出部４１〜４５の材質としては、基板１１〜１３と同様に、例えばＥＶＡ等の樹脂やゴムを用いることができる。この材質としては、使用者のツボを押圧でき、かつ使用者に気持ちよさを感じさせる硬度のものを選べばよい。例えば、樹脂やゴム等を発泡させることにより、突出部４１〜４５の硬度を、使用者に心地よいものに調整することができる。さらに、突出部４１〜４５の材質としては、柔軟性、耐寒性（耐候性）に優れ、軽量かつ安価で、さらには環境に優しいものを用いることが好ましい。突出部４１〜４５は、図４に示したツボの位置に対応して配置されている。
【００３７】
つぎに、脚用の健康器具１００の構成について説明する。この健康器具１００は、基板１１１と、複数の突出部１２１と、固定具１３１とを備えている。健康器具１００は、片足用であり、通常は、両足のために二つ用いられる。以下においては、一つの健康器具１００について説明する。
【００３８】
基板１１１は、座席６の座面８の上に配置されるものである（図１参照）。基板１１１は、長方形の板状に形成されている（図５および図６参照）。基板１１１の幅は、特に限定されないが、使用者Ａの大腿部Ｂ（図６参照）の横幅よりも若干狭いものが好適である。また、基板１１１の長さは、使用者Ａの大腿部Ｂの長さよりも若干短いものが好適である。基板１１１の材質としては、基板１１〜１３と同様のものを用いることができる。
【００３９】
突出部１２１は、基板１１１の前面側（図５において上面側）に配置されている。突出部１２１の数は、この実施形態では５個とされている。突出部１２１の数は３以上であることが好ましいが、これには限定されない。突出部１２１は、座席６に座った使用者Ａの大腿部（脚部）Ｂの延長方向（図６中左右方向）に沿って配置されている。さらに、複数の突出部１２１のうち、座席６に座った使用者Ａの臀部側（図５中左側）の突出部１２１は、膝側（図５中右側）の突出部１２１よりも低く形成されている。より具体的には、突出部１２１は、臀部となるほど低いものとなっている。ただし、突出部１２１の高さはこれに限られない。例えば、各突出部１２１は、いずれも同じ高さであっても良い。
【００４０】
固定具１３１は、基板１１１の両側に取り付けられている（図６参照）。固定具１３１は、例えば、帯状の面ファスナである。固定具１３１は、例えば、その先端どうしを接続することによって、使用者Ａの大腿部Ｂに基板１１１を固定（着脱や若干の移動ができる状態を含む）できるようになっている。
【００４１】
つぎに、前記のように構成された本実施形態の健康器具１の使用方法を説明する。まず、基板１１〜１３を、接続具５１および５２によって接続し、長尺矩形の板状とする（図２参照）。ついで、座席６の背もたれ７に、基板１１〜１３の突起２１〜２３を接触させる（図７参照）。すると、突起２１〜２３は、背もたれ７におけるクッション部分に若干食い込む。これにより、この実施形態では、基板１１〜１３を、座席６に一時的に固定することができる。
【００４２】
ついで、支持体３１〜３５の取付具７１〜７５を、基板１１〜１３の取付具６１〜６３に取り付ける。これにより、支持体３１〜３５を基板１１〜１３に取り付けることができる。この実施形態では、使用者の身長に応じて、基板１１〜１３に対する支持体３１〜３５の取付位置を調節することができる。このため、使用者の背中のツボを突出部４１〜４５によって適切に押圧して刺激することができるという利点がある。
【００４３】
また、本実施形態では、支持体３１〜３５の間に間隙Ｓを形成しているので、この間隙Ｓを利用することにより、使用者の身長に合わせて、支持体３１〜３５の位置を調節することができる。これにより、支持体３１〜３５に取り付けられた突出部４１〜４５を適切な位置に配置することができる。つまり、この実施形態では、突出部４１〜４５の位置は、基板１１〜１３に対して変更可能とされている。したがって、この実施形態によれば、使用者のツボをさらに適切に押圧して刺激することができる。
【００４４】
また、この実施形態では、突起２１〜２３の先端部近傍の最大幅を５ｍｍ以下としているので、突起２１〜２３が背もたれ７のクッション部分に食い込みやすい。したがって、基板１１〜１３を背もたれ７に接触させた状態で基板１１〜１３がずれにくいという利点もある。
【００４５】
さらに、この実施形態では、突出部４１〜４５を、座席６に座った使用者Ａの背面におけるツボを押圧できる位置に配置したので、ツボを適切に刺激することが可能である。
【００４６】
また、この実施形態では、突出部４１〜４５の高さを、使用者Ａの背面の凹凸に対応して、異なったものとしたので、身体のツボをさらに適切に刺激することが可能である。なお、突出部４１〜４５の高さを同じとすることは可能であるが、この場合は、ツボへの刺激効果が低下するおそれがある。
【００４７】
この実施形態の健康器具１は、その使用状態では、座席６の背もたれ７と使用者Ａとの間に挟まれる。さらに、基板１１〜１３には突起２１〜２３を形成したので、使用中の健康器具１が座席から落下したり位置ずれするというおそれは少ないという利点がある。したがって、従来のようなベルトを用いなくても、健康器具１を座席に実質的に固定することができる。従来の技術では、椅子の背もたれに巻かれたベルトにより器具を椅子に固定しているので、器具を使用できる椅子が限られるという問題があった。この実施形態の健康器具１は、ベルトを用いなくても椅子に固定できるので、例えば自動車のリアシートなどのように、ベルトを巻くことができない椅子にも使用できるという利点がある。
【００４８】
さらに、飛行機の座席にベルトを巻くことは、後部座席の利用者に迷惑となるために難しい。しかしながら、この実施形態の健康器具１は、ベルトを用いずに座席に簡単に取り付けることができる。しかも、取り外しも容易である。このため、この健康器具１は、飛行機の座席にも使用しやすい。したがって、この健康器具１は、いわゆるエコノミークラス症候群の防止にも有効であると考えられる。
【００４９】
また、この実施形態の健康器具１は、分割された複数の支持体３１〜３５や複数の基板１１〜１３を用いているので、運搬が容易であるという利点もある。
【００５０】
つぎに、本実施形態における健康器具１００の使用方法について説明する。まず、使用者Ａが座席６に腰掛けた状態で、突出部１２１を使用者Ａの大腿部Ｂの下面に接触させる（図８参照）。この状態で、固定具１３１を大腿部Ｂの外周に回して固定する。これにより、基板１１１を大腿部Ｂの下側に固定することができる。この状態では、基板１１１は座席６の座面８の上に配置されている。
【００５１】
この実施形態では、突出部１２１を、座席６に座った使用者Ａの大腿部（脚部）Ｂの延長方向に沿って配置している。脚部の裏側におけるツボは、脚部の長さ方向に沿って配置されている。よって、この実施形態によれば、脚部のツボを適切に刺激することが可能となる。
【００５２】
さらに、この実施形態では、複数の突出部１２１のうち、座席６に座った使用者Ａの臀部側の突出部１２１を、膝側の突出部よりも低く形成している。もし、突出部の高さがいずれも同じであると、臀部側に大きな押圧力が作用してしまい、痛みを感じるおそれがある。これを避けるために突出部１２１の高さを低くすると、ツボ押しの効果が減少してしまう。この実施形態では、臀部側の突出部１２１の高さを低くする（つまり膝側の突出部１２１の高さを高くする）ことにより、痛みを和らげながら効果的なツボ押しを行うことができるという利点がある。
【００５３】
健康器具１と健康器具１００とをセットとして用いることにより、身体背面のツボを効果的に、ほぼ全身にわたって刺激することができ、ツボ押圧の効果を向上させることができる。
【００５４】
なお、前記実施形態および実施例の記載は単なる一例に過ぎず、本発明に必須の構成を示したものではない。各部の構成は、本発明の趣旨を達成できるものであれば、上記に限らない。
【００５５】
例えば、前記実施形態の健康器具１では、３枚の基板１１〜１３を接続するものとしたが、座席の背もたれが短い場合には、２枚の基板１２および１３のみを接続して用いることも可能である。この場合には、それらに取り付けることができる支持体のみを基板１２および１３に取り付けることで、ツボ押しを行うことができる。
【００５６】
また、前記実施形態の健康器具１では、突起２１〜２３として棒状ないし針状のものを用いた。しかしながら、突起２１〜２３としては、例えば、断面山形状、正弦波状、鋸歯状、方形波状などの形状であっても良い。要するに、突起としては、基板を座席に一時的に固定できるものであればよい。ただし、突起としては、その先端で椅子の表面を傷つけることのないものが好ましい。
【００５７】
つぎに、本発明の第２実施形態に係る脚用の健康器具２００を、図９に基づいて説明する。この健康器具２００は、基板２１１と、複数の突起２２１と、複数の支持体２３１および２３２と、複数の突出部２４１および２４２とを主要な構成として備えている。
【００５８】
基板２１１は、その背面（図９（ａ）における下面）側が座席６の座面８に取り付けられるものである。基板２１１は、平面視して四角形となる板状に形成されている。より詳しくは、基板２１１は、使用者の臀部側から膝側にかけて先細りとなる台形状に形成されている（図９（ｂ）参照）。
【００５９】
複数の突起２２１は、基板２１１の背面（図９（ａ）における下面）側に配置されて、座席６の座面８に接触するようにされている。突起２２１は、この実施形態では、波形状（正弦波状）とされている。基板２１１の前面（図９（ａ）における上面）側には、取付具２６１が、基板２１１のほぼ全長にわたって取り付けられている。取付具２６１としては、面ファスナが用いられている。
【００６０】
支持体２３１および２３２は、いずれも、使用者の臀部側から膝側にかけて先細りとなる台形状に形成されている（図９（ｂ）参照）。支持体２３１および２３２の背面（図９（ａ）における下面）側には、それぞれ、取付具２６１に取り付けられる取付具２７１および２７２が取り付けられている。この取付具２７１および２７２としては、例えば面ファスナである。支持体２３２は、膝側の横幅が臀部側の横幅より狭くなっている。
【００６１】
突出部２４１および２４２は、ぞれぞれ、支持体２３１および２３２の前面（図９（ａ）における上面）側に取り付けられている。突出部２４１および２４２の数は、３個ずつ（計６個）となっている。これにより、突出部２４１および２４２は、基板２１１の前面側に配置されて、座席に座った使用者の脚部の背面を押圧できるようになっている。突出部２４１および２４２としては、前記第１実施形態と同様に、臀部側の突出部の高さを低くする（つまり膝側の突出部の高さを高くする）ようにすることが好ましい。
【００６２】
さらに、この健康器具２００では、第１実施形態の健康器具１００と同様の固定具１３１が、基板２１１に取り付けられている。
【００６３】
第２実施形態の健康器具２００によれば、基板２１１に対して支持体２３１および２３２の位置を調整することができるので、使用者の脚部背面におけるツボ押しをより適切に行うことができるという利点がある。
【００６４】
また、第２実施形態の健康器具２００によれば、基板２１１および支持体２３１・２３２を先細り状としたので、左右の脚に健康器具２００を取り付けた状態において、左右の健康器具どうしが接触するおそれを減少させることができる。なお、基板２１１および支持体２３１・２３２の形状としては、左右の脚に取り付けられた状態において接触しにくい形状であればよい。例えば、臀部側の支持体２３１は、単なる長方形状であってもよい。また、基板２１１や支持体２３２は、全体として先細り状である必要はなく、膝側部分のみが先細り状であってもよい。第２実施形態における他の構成および利点は前記第１実施形態と基本的に同様なので、これ以上の説明を省略する。
【００６５】
【発明の効果】
本発明に係る健康器具の効果の一つは、取り付け場所の制約を減少させうることである。本発明に係る健康器具の効果のうち、他のものは、脚部における効果的なツボ押しが可能となることである。
【図面の簡単な説明】
【図１】本発明の第１実施形態に係る健康器具セットを椅子に取り付ける状態を示す概略的な説明図である。
【図２】本発明の第１実施形態に係る背中用の健康器具の概略的な断面図である。
【図３】図２の健康器具に用いられる支持体の正面図である。
【図４】身体背面のツボの位置と支持体との対応関係を説明するための説明図である。
【図５】本発明の第１実施形態に係る脚用の健康器具の概略的な側面図である。
【図６】図５の健康器具の平面図である。
【図７】図１の健康器具の使用方法を説明するための説明図である。
【図８】図５の健康器具の使用方法を説明するための説明図である。
【図９】図（ａ）は、本発明の第２実施形態に係る脚用の健康器具の概略的な側面図である。図（ｂ）は図（ａ）における要部の平面図である。
【符号の説明】
１  背中用の健康器具
１１・１２・１３  基板
２１・２２・２３  突起
３１・３２・３３・３４・３５  支持体
４１・４２・４３・４４・４５  突出部
５１・５２  接続具
６１・６２・６３  基板側の取付具
７１・７２・７３・７４・７５  支持体側の取付具
１００・２００  脚用の健康器具
１１１・２１１  基板
１２１  突出部
１３１  固定具
２２１  突起
２３１・２３２  支持体
２４１・２４２  突出部
２６１  基板側の取付具
２７１・２７２  支持体側の取付具
６  座席
７  背もたれ
８  座面
Ａ  使用者
Ｂ  大腿部
Ｓ  間隙
【図１】
2004329666.tif 000003
【図２】
2004329666.tif 000004
【図３】
2004329666.tif 000005
【図４】
2004329666.tif 000006
【図５】
2004329666.tif 000007
【図６】
2004329666.tif 000008
【図７】
2004329666.tif 000009
【図８】
2004329666.tif 000010
【図９】
2004329666.tif 000011